(57)【要約】【課題】表示板の取り付け枚数が多い場合や回転速度が速い場合でも、停止状態で表示させたい表示板を確実に表示させることができる回転表示装置を提供する。【解決手段】ステッピングモータ５０により回転駆動される回転体４０の両側フランジ４８外周部間に複数の表示板３２を回動可能に支持し、回転体４０を任意の位置で停止させ上側の表示板３２を表示位置で保持することで、上下一対の表示板３２により所定の表示を行う回転表示装置３０であり、上側の表示板３２に対して進退可能に設けられ、表示位置で停止させたい表示板３２ａ、３２ｂが表示位置にきたときに表示板３２ａ、３２ｂに対して進出して停止させるソレノイド５６ａ、５６ｂを有する。【選択図】        図２
2005010330.tif 000002
【特許請求の範囲】
【請求項１】
駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行う回転表示装置において、
前記上側の表示板に対して進退可能に設けられ、表示位置で停止させたい表示板が表示位置にきたときに前記表示板に対して進出して停止させるストッパ機構を有することを特徴とする回転表示装置。
【請求項２】
請求項１において、
前記表示位置で停止させたい表示板に外方に突出する停止片を形成し、
前記ストッパ機構を前記停止片に対して進退可能にしたことを特徴とする回転表示装置。
【請求項３】
請求項２において、
前記ストッパ機構としてソレノイドを用い、
前記停止片は、表示位置で停止させたい上側の表示板の側辺及び上辺の少なくとも一辺に形成し、
前記ソレノイドを前記停止片対応位置に配置したことを特徴とする回転表示装置。
【請求項４】
請求項３において、
前記表示位置で停止させたい上側の表示板が複数あり、
前記表示位置で停止させたい各上側の表示板の側辺及び上辺の少なくとも一辺における異なる位置に停止片が形成され、
前記ソレノイドは、各停止片に対応した位置に複数配置されていることを特徴とする回転表示装置。
【請求項５】
請求項１〜４のいずれかにおいて、
回転体を回転駆動する駆動手段としてステッピングモータを用い、
前記回転体の原点位置を検出する原点センサを設け、
前記原点センサにて検出した原点位置を始点にして前記ステッピングモータにより前記回転体を所定角度回転駆動することを特徴とする回転表示装置。
【請求項６】
駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行う回転表示装置において、
前記表示位置で停止させたい所定の表示を行う表示板を複数連続して設けたことを特徴とする回転表示装置。
【発明の詳細な説明】
【０００１】
【発明の属する技術分野】
本発明は、回転表示装置に関し、特に、複数の表示板を取り付けた回転体を回転させて上下一対の表示板により所定の表示を行うリーフ式の回転表示装置に関する。
【０００２】
【背景技術】
一般に、リーフ式の回転表示装置は、モータ等の駆動手段で回転される円筒状の回転ドラムの外周に複数の表示板を回動自在に支持し、表示面を構成する上下一対の表示板のうち上側の表示板を表示板にストッパで係止し、回転ドラムを任意の位置で停止させることにより表示位置に位置する上下一対の表示板で絵柄を表示するようにしている（特許文献１参照）。
【０００３】
【特許文献１】
特許第２６３２５０４号公報
【０００４】
【発明が解決しようとする課題】
このようなリーフ式の回転表示装置にあっては、モータ等の駆動手段を停止させることで、回転ドラムを任意の位置で停止させるため、回転ドラムが慣性力によりわずかに回りすぎてしまうと、上側の表示板が複数めくれてしまう場合が生じやすく、停止状態で所定の絵柄を表示させたい場合でも別の絵柄が表示されてしまうという問題がある。
【０００５】
特に、回転ドラムに多数の表示板が取り付けられている場合、ストッパにより係止領域も狭まり、よりめくれすぎが生じやすくなり、また、回転ドラムの回転速度が速くなると、めくれすぎが生じやすくなることとなる。
【０００６】
本発明の目的は、表示板の取り付け枚数が多い場合や回転速度が速い場合でも、停止状態で表示させたい表示板を確実に表示させることができる回転表示装置を提供することにある。
【０００７】
【課題を解決するための手段】
前記目的を達成するため、本発明の回転表示装置は、駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行う回転表示装置において、
前記上側の表示板に対して進退可能に設けられ、表示位置で停止させたい表示板が表示位置にきたときに前記表示板に対して進出して停止させるストッパ機構を有することを特徴とする。
【０００８】
本発明によれば、表示位置で表示させたい表示板が表示位置にきたときにストッパ機構を表示板に対して進出させて停止させることで、表示板のめくれすぎをなくし、表示させたい表示板を確実に表示位置で停止させることができる。
【０００９】
従って、表示板の取り付け枚数が多い場合や、回転速度が速い場合であっても、表示位置で停止させたい表示板を確実に停止させて表示することができる。
【００１０】
本発明においては、前記表示位置で停止させたい表示板に外方に突出する停止片を形成し、
前記ストッパ機構を前記停止片に対して進退可能にすることができる。
【００１１】
このような構成とすることにより、表示板に突出形成した停止片に対してストッパ機構を進退させることで、他の表示板の影響を受けることなく、表示位置で停止させたい表示板を確実に停止させることができる。
【００１２】
この場合、前記ストッパ機構としてソレノイドを用い、
前記停止片は、表示位置で停止させたい上側の表示板の側辺及び上辺の少なくとも一辺に形成し、
前記ソレノイドを前記停止片対応位置に配置することができる。
【００１３】
このような構成とすることにより、表示位置で停止させたい上側の表示板の側辺及び上辺の少なくとも一辺に停止片を形成し、ソレノイドを停止片対応位置に配置して、ソレノイドを停止片に当接させることで、ソレノイドの設置スペースを確保できる場所にソレノイドを設置して確実に上側の表示板を表示位置で停止させることができる。
【００１４】
この場合、前記表示位置で停止させたい上側の表示板が複数あり、
前記表示位置で停止させたい各上側の表示板の側辺及び上辺の少なくとも一辺における異なる位置に停止片が形成され、
前記ソレノイドは、各停止片に対応した位置に複数配置されるようにすることができる。
【００１５】
このような構成とすることにより、ソレノイドを複数の位置で上側の表示板に当接させることで、複数の停止させたい上側の表示板を確実に停止させて、複数の停止位置で複数の表示を行うことが可能となる。
【００１６】
本発明においては、回転体を回転駆動する駆動手段としてステッピングモータを用い、
前記回転体の原点位置を検出する原点センサを設け、
前記原点センサにて検出した原点位置を始点にして前記ステッピングモータにより前記回転体を所定角度回転駆動するようにすることができる。
【００１７】
このような構成とすることにより、回転体が停止した際に慣性力により回りすぎが生じた場合でも、表示位置で停止させたい上側の表示板を確実に停止させることができる。
【００１８】
その場合に、回転体の原点位置がずれることとなるが、原点センサにより回転体の原点位置までを検出して、設定値と実測値を比較してずれ分を測定でき、その値を修正してステッピングモータを所定角度回転駆動することで、回転体をより正確に所定の位置で停止させることができる。
【００１９】
また、本発明の他の回転表示装置は、駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行う回転表示装置において、
前記表示位置で停止させたい所定の表示を行う表示板を複数連続して設けたことを特徴とする。
【００２０】
本発明によれば、回転体を停止させる際に、回転体が慣性力により回りすぎを生じた場合であっても、表示位置で停止させたい所定の表示を行う表示板を複数連続して設けることで、めくれすぎが生じた場合でも確実に所定の表示を行うことができる。
【００２１】
【発明の実施の形態】
以下、本発明の実施の形態について、図面を参照して説明する。
【００２２】
図１〜図３は、本発明の一実施の形態に係る回転表示装置を示す図である。
【００２３】
図１は、本実施の形態に係る回転表示装置を組み込んだパチンコ遊技機の正面図が示されている。
【００２４】
このパチンコ遊技機１０は、その正面上半部に、遊技用の遊技盤１２が設けられ、正面下半部にパチンコ玉の打球供給皿１４が設けられ、その下方に余剰玉受け皿１６及び操作部１８が設けられている。
【００２５】
遊技盤１２の遊技玉が通過する遊技領域側の中段部の左側には、普通図柄入賞口として機能するスルーチャッカー２０が設けられ、さらに、下段部の中央には特別図柄始動入賞口として機能しスタートチャッカーと呼ばれる始動入賞口２２と、大当り入賞口２４が設けられ、さらに下端部にはアウト玉入口２６が設けられている。
【００２６】
また、図示せぬが、遊技盤１２の遊技領域側の所定の位置には障害釘が設けられている。
【００２７】
遊技盤１２の中央部分には、ディスプレイ２８が配置され、このディスプレイ２８の右側には回転表示装置３０が隣接配置されている。
【００２８】
ディスプレイ２８は、液晶等の画像表示手段を用いて構成されたもので、パチンコ遊技機１０の遊技演出画像及びその他必要な情報が表示されるようになっている。
【００２９】
回転表示装置３０は、複数の表示板３２を連続して送り出すことにより連続画像の表示を行うもので、その回転表示部３４に、それ単独で、またはディスプレイ２８と共同して、パチンコ遊技機１０の遊技演出画像及びその他必要な情報を表示するようになっている。
【００３０】
図２には、本実施の形態における回転表示装置３０の表側ケースを省略した拡大正面図が示され、図３には、その回転表示装置３０の縦断面図が示されている。
【００３１】
この回転表示装置３０は、遊技盤１２に形成した開口部３６の裏面側に取り付けられる裏側ケース３８内に複数の表示板３２を取り付けた回転体４０が組み込まれている。
【００３２】
また、遊技盤１２の表側には、表側ケース４２が取り付けられ、この表側ケース４２にて開口部３６の表側が覆われるようになっている。
【００３３】
この表側ケース４２には、透明板４４付きの窓部４６が形成され、この窓部４６より回転表示部３４に表示される連続画像表示が見えるようになっている。
【００３４】
回転体４０は、ドラム形状に形成され、遊技盤１２の面に平行して水平に、かつ、回転可能に掛け渡されている。
【００３５】
この回転体４０の両端には、円盤状のフランジ４８が設けられ、この両側フランジ４８の外周部間に複数の表示板３２の一端側が等間隔にかつ回動可能に取り付けられている。
【００３６】
また、回転体４０は、裏側ケース３８の側面に取り付けた駆動手段としてのステッピングモータ５０により回転駆動されると共に、任意の位置で停止可能とされている。
【００３７】
表示板３２は、上下一対の表示板３２によって所定の表示、例えばアニメーションを表示するもので、取り付けられる表示板３２の枚数は必要に応じて設定できる。
【００３８】
例えば、１００枚の表示板３２を取り付けた場合には、１００枚の連続アニメーション表示を行うことができる。
【００３９】
さらに、表側ケース４２の上部ほぼ中央位置には、取り付け部材５２を介して、上側に位置する表示板３２の上端部を係止する係止部材５４が設けられている。
【００４０】
そして、この係止部材５４に係止された表示板３２は、回転体４０の回転により一定のテンションがかかった状態で係止部材５４との係止状態からのがれ、勢いよくめくられるようになっている。
【００４１】
従って、回転体４０を回転駆動することにより、例えば、連続したアニメーションポーズの描かれた表示板３２が一定間隔でパラパラと勢いよくめくられるパラパラアニメーション表示が行われ、これにより連続アニメーションによる視覚的な演出を行うことができる。
【００４２】
また、この回転表示装置３０には、上側の表示板３２に対して進退可能に設けられ、表示位置で停止させたい表示板３２が表示位置にきたときに表示板３２に対して進出して停止させるストッパ機構としてのソレノイド５６が設けられている。
【００４３】
具体的には、この実施の形態では、例えば、図２に示すように、表示位置で停止させたい２枚の表示板３２ａ、３２ｂのステッピングモータ５０側と反対側の側辺に、上下方向で位置を異ならせて外方（側方）に突出する停止片５８ａ、５８ｂを形成し、２つのソレノイド５６ａ、５６ｂを停止片５８ａ，５８ｂと対応する位置の裏側ケース３８に取り付けている。
【００４４】
そして、それぞれのソレノイド５６ａ、５６ｂの駆動ロッド６０ａ、６０ｂを各停止片５８ａ、５８ｂに対し進退可能にし、表示位置で停止させたい表示板３２ａ、３２ｂが表示位置にきたときに、停止片５８ａ、５８ｂに対し駆動ロッド６０ａ、６０ｂを進出させて強制的に停止し得るようにしている。
【００４５】
なお、このソレノイド５６は、例えば、スプリング５７によって停止片５８ａ、５８ｂに対し進出（突出）方向に付勢され、電源ＯＮ時には励磁によって付勢力に抗して停止片５８ａ、５８ｂに対し退行可能とされている。
【００４６】
従って、回転体４０の回転時には電源ＯＮ状態としておき、回転体４０の停止時に電源をＯＦＦにすることで停止片５８ａ、５８ｂに対して進出可能とされている。
【００４７】
ただし、実際には、故障による回転体４０の破損防止のため、電源ＯＦＦ状態で停止解除できる状態とする方が望ましい。
【００４８】
このように、ソレノイド５６により表示位置で表示させたい上側の表示板３２に強制的に停止させることで、表示させたい表示板３２を確実に表示位置で停止させることができ、表示板３２の取り付け枚数が多い場合や、回転速度が速い場合であっても、表示位置で停止させたい表示板３２を確実に停止させて表示することができる。
【００４９】
また、停止させたい表示板３２に停止片５８を突出形成することで、他の表示板３２の影響を受けることなく、表示位置で停止させたい表示板３２を確実に停止させることができる。
【００５０】
さらに、複数のソレノイド５６ａ、５６ｂを用いて停止させたい複数の上側の表示板３２ａ、３２ｂに当接させることで、複数の表示を確実に行うことができる。
【００５１】
特に、複数種類の絵柄を表示する表示板３２を１つの回転体４０に各種類の表示板３２の境界部分において、連続表示されるパターンとは異なる絵柄を表示しておきたい場合に、それぞれの境界部で確実にその絵柄を表示することが可能となる。
【００５２】
また、図２の状態では、停止片５８ａ、５８ｂを有する表示板３２ａ、３２ｂ間に複数の表示板３２を設けているが、このような場合には、１つのソレノイド５６によって複数の停止片５８ａ、５８ｂを停止させるようにしてもよく、特に図２のように複数のソレノイド５６ａ、５６ｂを用いる場合には停止片５８ａ、５８ｂの間隔が狭くなる場合に有効なものとなる。
【００５３】
さらに、この実施の形態では、回転体４０の一方のフランジ４８の外面外周部に原点表示突起６２を設けておき、裏側ケース３８の対応位置に原点センサ６４を設け、原点表示突起６２が原点センサ６４間を通過する際に、回転体４０の原点位置を検出するようにしている。
【００５４】
そして、この原点センサ６４にて検出した原点位置を始点にして、ステッピングモータ５０により回転体４０を所定角度回転駆動するようにしている。
【００５５】
これによって、回転体４０が停止した際に、慣性力により回りすぎが生じた場合でも、表示位置で停止させたい上側の表示板３２は、ソレノイド５６によって停止された状態を保持できる。
【００５６】
この時、回転体４０の停止位置はずれているが、再回転時に原点センサ６４により回転体４０の原点位置を検出すれば、再回転開始位置から原点までの設定パルス数と実際のパルス数を比較してずれ分を測定でき、その値を修正してステッピングモータ５０により所定角度回転駆動することで、回転体をより正確に所定の位置で停止させることができる。
【００５７】
なお、原点センサ６４は、発光部と受光部を対向させた略コ字状のもので、原点表示突起６２の通過により受光が阻止された時点で原点位置を検出するようになっている。
【００５８】
図４には、本発明の他の実施の形態に係る回転表示装置の概略斜視図を示す。
【００５９】
この実施の形態では、表示位置で停止させたい上側の表示板３２ｃ、３２ｄ、３２ｅにおける上辺の異なる位置に、それぞれ停止片５８ｃ、５８ｄ、５８ｅを外方に突出形成し、ソレノイド５６ｃ、５６ｄ、５６ｅをそれぞれ停止片５８ｃ、５８ｄ、５８ｅ対応位置に配置している。
【００６０】
そして、ソレノイド５６ｃ、５６ｄ、５６ｅの各駆動ロッド６０ｃ、６０ｄ，６０ｅを停止片５８ｃ、５８ｄ、５８ｅに対し進退可能にしている。
【００６１】
他の構成及び作用は、前記実施の形態と同様につき説明を省略する。
【００６２】
本発明は、前記実施の形態に限定されるものではなく、本発明の要旨の範囲内において、種々の形態に変形可能である。
【００６３】
例えば、前記実施の形態では、ストッパ機構としてソレノイドを用いたが、この例に限定されるものではなく、駆動手段により軸回りに回転されるロッドの軸方向と交差する方向にストッパ部材を取り付けておき、このロッドを回転させて表示位置で停止させたい表示板が停止位置にきたときにストッパ部材を停止させたい上側の表示板に対して当接するようにしてもよい。
【００６４】
この場合、ロッドに対し複数のストッパ部材を軸方向で異なる位置に、かつ、突出角度を変えて設けることにより、複数の表示位置で停止させたい表示板を停止させることができる。
【００６５】
また、電磁ラッチ、プランジャ等を用いてストッパ部材を回動させることで、表示板に対しストッパ部材を進退させるようにしてもよい。
【００６６】
また、前記実施の形態では、表示位置で停止させたい表示板に外方に突出する係止片を形成した場合を示したが、ストッパ機構で確実に表示板を停止させることができる状態であれば、必ずしも停止片は設ける必要がない。
【００６７】
この場合、表示位置で停止させたい表示板以外の表示板のストッパ機構対応位置に凹部を形成し、表示位置で停止させたい表示板の対応に凹部を形成しない状態としておけば、停止片と同様の機能を果たすこととなる。
【００６８】
さらに、前記実施の形態では、停止片を表示位置で停止させたい上側の表示板の一方の側辺または上辺に形成したが、この例に限らず、表示位置で停止させたい上側の表示板の他方の側辺と上辺あるいは両側辺と上辺に形成してもよく、ストッパ機構の取り付けスペースの条件に合わせて種々の位置を選択することが可能である。
【００６９】
また、前記実施の形態では、ソレノイドを２個または３個用いた場合を示したが、ソレノイドの設置数は、表示位置で停止させたい上側の表示板の数あるいはソレノイドの設置スペースに合わせて種々選択することができる。
【００７０】
さらに、前記実施の形態では、ソレノイドと停止片を用いて表示させたい位置で停止させたい表示板を表示位置で停止させるようにしているが、この例に限らず、ソレノイドや停止片を用いることなく、表示位置で停止させたい所定の表示を行う表示板を複数連続して設けることで、停止時に回転体が慣性力により回りすぎを生じた場合であっても、連続した表示板によって、めくれすぎても次の表示板が表示されて同じ表示がなされ、確実に所定の表示を行うことができる。
【図面の簡単な説明】
【図１】本発明の一実施の形態に係る回転表示装置を組み込んだパチンコ遊技機の正面図である。
【図２】本実施の形態における回転表示装置の表側ケースを省略した拡大正面図である。
【図３】図２の回転表示装置の縦断面図である。
【図４】本発明の他の実施の形態に係る回転表示装置を示す概略斜視図である。
【符号の説明】
３０  回転表示装置
３２、３２ａ〜３２ｅ  表示板
３４  回転表示部
４０  回転体
４８  フランジ
５０  ステッピングモータ
５４  係止部材
５６、５６ａ〜５６ｅ  ソレノイド
５８、５８ａ〜５８ｅ  停止片
６２  原点表示突起
６４  原点センサ
【図１】
2005010330.tif 000003
【図２】
2005010330.tif 000004
【図３】
2005010330.tif 000005
【図４】
2005010330.tif 000006